(57)【要約】【課題】照明器具は無線リモコンからの送信信号を確実に受信する。【解決手段】この照明装置の通信設定方法は、無線リモコン１と照明器具２との通信設定方法である。リモコン側設定スイッチ１３の操作により、伝送速度、送信回数、コマンド及び誤り制御符号に基づいて送信信号の信号レベルを設定する。リモコン制御部１１は上記信号レベルが設定された送信信号を送信する。器具制御部２１は送信信号を受信したか否かの判断を行う。受信したときには、器具側設定スイッチ２３の操作により、上記信号レベルを送信信号の信号レベルとして決定する。受信しなかったときには、伝送速度を遅くする過程、送信回数を多くする過程、コマンドを多くする過程及び誤り制御符号を多くする過程を行い、信号レベルの再設定を行う。リモコン制御部１１は再設定された送信信号を送信し、器具制御部２１は上記判断を再度行う。【選択図】図１
2006093048.tif 000002
【特許請求の範囲】
【請求項１】
点灯及び消灯を行う照明負荷を有する照明器具と、前記照明器具とは別体であって前記照明負荷の点灯状態を微弱無線による送信信号で指示する無線リモコンとを備える照明装置の通信設定方法であって、
伝送速度、送信回数、コマンド及び誤り制御符号のうち少なくとも一つに基づいて前記送信信号の信号レベルを設定し、
前記信号レベルが設定された送信信号を前記無線リモコンから前記照明器具に送信し、その送信された送信信号が前記照明器具に受信されたか否かの判断を行い、
前記判断の結果、受信されたときには、前記設定された信号レベルを前記送信信号の信号レベルとして決定し、受信されなかったときには、前記無線リモコン及び前記照明器具において、前記送信信号に対して、前記伝送速度をさらに遅くする過程、前記送信回数をさらに多くする過程、前記コマンドをさらに多くする過程及び前記誤り制御符号をさらに多くする過程のうち少なくとも一つを行い、前記送信信号の信号レベルを再設定し、前記信号レベルが再設定された送信信号を前記無線リモコンから前記照明器具に送信し、前記判断を行う
ことを特徴とする照明装置の通信設定方法。
【請求項２】
前記無線リモコンに周囲の明るさを検出する明るさセンサを備え、
前記明るさセンサが明るさの変化を検出することにより、前記判断を行う
ことを特徴とする請求項１記載の照明装置の通信設定方法。
【請求項３】
点灯及び消灯を行う照明負荷を有する照明器具と、前記照明器具とは別体であって前記照明負荷の点灯状態を微弱無線による送信信号で指示する無線リモコンとを備える照明装置であって、
前記無線リモコンは、伝送速度、送信回数、コマンド及び誤り制御符号のうち少なくとも一つに基づいて前記送信信号の信号レベルを設定するリモコン側設定スイッチと、前記信号レベルが設定された送信信号を前記無線リモコンから前記照明器具に送信するリモコン制御部とを備え、
前記照明器具は、伝送速度、送信回数、コマンド及び誤り制御符号のうち少なくとも一つに基づいて前記送信信号の信号レベルを設定する器具側設定スイッチと、前記送信された送信信号が前記照明器具に受信されたか否かの判断を行い、前記判断の結果、受信されたときには、前記設定された信号レベルを前記送信信号の信号レベルとして決定する器具制御部とを備え、
前記無線リモコン及び前記照明器具は、前記判断の結果、受信されなかったときには、前記送信信号に対して、前記伝送速度をさらに遅くする過程、前記送信回数をさらに多くする過程、前記コマンドをさらに多くする過程及び前記誤り制御符号をさらに多くする過程のうち少なくとも一つを行い、前記送信信号の信号レベルを再設定する
ことを特徴とする照明装置。
【請求項４】
前記無線リモコンは、周囲の明るさを検出する明るさセンサを備えることを特徴とする請求項３記載の照明装置。
【発明の詳細な説明】
【技術分野】
【０００１】
本発明は、例えば、無線リモコンからの微弱無線により照明器具を制御する照明装置の通信設定方法及び照明装置に関するものである。
【背景技術】
【０００２】
従来の照明装置（照明システム）は、種々提案されまた市販されている。一例として、図７に示すように、赤外線通信で照明器具２に送信信号を送信し、照明器具２を制御する照明装置がある。無線リモコン１は、人感センサ１０やスイッチ１５等からの入力信号に基づいて、送信信号を赤外線信号として照明器具２に送信する。照明器具２は、上記送信信号を受信し、少なくとも受信した送信信号の内容に基づいて照明負荷２２を点灯させる。一般的に、赤外線と同じ周波数帯域の環境ノイズはほとんど存在しないので、上記照明装置は、無線リモコン１と照明器具２との方向が一致し、その間に遮蔽物がなければ、ほぼ確実に通信を行うことができる。
【０００３】
しかし、赤外線は、指向性があるとともに、無線リモコン１と照明器具２との間に壁等の遮蔽物があったり、距離が許容範囲より長く物理的に届かなかったりすると、通信することができないという問題があった。
【０００４】
上記問題を回避する手段として、電波による通信がある。電波による通信は、アンテナの性能により指向性を低減することができるとともに、壁等の遮蔽物を通過することができるので、赤外線通信の問題を回避するための有効な無線通信である。
【０００５】
上記電波は、複数の周波数帯域に区分けされている。この中で、免許が不要なものとして、特定小電力無線と微弱無線とがあり、両方とも照明負荷を点灯させる場合に用いられることが多い。特定小電力無線は、４００ＭＨｚ帯の周波数帯で、送信電力が１ｍＷ以下又は１０ｍＷ以下と比較的大きい電波である。特定小電力無線による通信は、通信距離が数百メートルと長距離であり、通信信頼性が高く、上記赤外線通信の問題を回避することができる。しかし、特定小電力無線による通信は、認可を必要とするとともに、構成が複雑になり、制御方式も複雑なものになるので、コストが高くなり、手軽な用途には使いにくいという問題があった。
【０００６】
一方、微弱無線は、３２２ＭＨｚ以下の周波数帯で、３ｍ地点の電界強度が５００μＶ／ｍ以下の電波である。微弱無線による通信は、上記のように電界強度が電波法で小さく規制され、通信信頼性及び通信距離が特定小電力無線による通信より劣るものの、コストが非常に安く、認可も不要であり、他の制約もないので、上記通信性能の範囲で実現するものであれば、手軽な用途、低コストが要求される用途に適している。
【０００７】
また、上記照明装置では、通常、センサやスイッチ等からの入力後、すぐに照明負荷を点灯させることが望ましい。しかし、無線リモコンと照明器具との距離が遠い場合には、センサやスイッチ等からの入力後、照明負荷が点灯するまでに時間が少々経過しても許容されることが多い。但し、全く無線による通信を行うことができず、照明負荷を点灯させることができないことは、照明装置として機能的に問題がある。
【０００８】
なお、特許文献１には、送信電力を変えずに、距離が遠くなるほど、パケット長を短くしたり、連続送信回数を多くしたりすることにより、キャリアセンスに影響を与えることなく、無線基地局での受信特性を均一化する無線通信システムが開示されている。
【特許文献１】特開平８−２０４６２９号公報（第３，４頁及び第１図）
【発明の開示】
【発明が解決しようとする課題】
【０００９】
しかしながら、上記従来の微弱無線を用いた照明装置は、送信信号の電界強度が電波法により小さく制限されるので、図８のように数メートル離れた地点（図８のｄ３）において、送信信号の電界強度（図８のＡ）が受信能力限界より大きい場合であっても、その地点のノイズ（例えば環境ノイズ等）の電界強度が送信信号の電界強度より大きいときでは、照明器具は無線リモコンから送信信号を受信することができないという問題があった。但し、図９の示すように、ノイズは時間的に強弱があるので、送信信号の電界強度がノイズの電界強度より大きいときでは、照明器具は無線リモコンから送信信号を受信することができる（例えば、図９の通信可能時間帯等）。
【００１０】
上記問題を解決するために、双方向通信による通信設定方法がある。照明器具は、無線リモコンから送信信号を受信したか否かの確認信号を要求し、受信しなかったときに、無線リモコンが送信信号を再送する。これにより、無線リモコンはノイズの小さな時間帯に送信信号を再送する可能性が高まるので、通信信頼性を上げることができ、また、確実に通信できるまで再送すればよい。
【００１１】
しかしながら、双方向通信を行うためには、無線リモコン及び照明器具のどちらにも送受信機能を有する必要があり、コストが高くなるという問題があった。
【００１２】
上記より、従来の微弱無線による単方向通信を用いた照明装置は、低コストであること、及びノイズの影響を低減することを両立することができないという問題があった。
【００１３】
本発明は上記の点に鑑みて為されたものであり、その目的とするところは、照明器具が無線リモコンからの送信信号を確実に受信することができる照明装置の通信設定方法及び照明装置を提供することにある。
【課題を解決するための手段】
【００１４】
請求項１に記載の発明は、点灯及び消灯を行う照明負荷を有する照明器具と、前記照明器具とは別体であって前記照明負荷の点灯状態を微弱無線による送信信号で指示する無線リモコンとを備える照明装置の通信設定方法であって、伝送速度、送信回数、コマンド及び誤り制御符号のうち少なくとも一つに基づいて前記送信信号の信号レベルを設定し、前記信号レベルが設定された送信信号を前記無線リモコンから前記照明器具に送信し、その送信された送信信号が前記照明器具に受信されたか否かの判断を行い、前記判断の結果、受信されたときには、前記設定された信号レベルを前記送信信号の信号レベルとして決定し、受信されなかったときには、前記無線リモコン及び前記照明器具において、前記送信信号に対して、前記伝送速度をさらに遅くする過程、前記送信回数をさらに多くする過程、前記コマンドをさらに多くする過程及び前記誤り制御符号をさらに多くする過程のうち少なくとも一つを行い、前記送信信号の信号レベルを再設定し、前記信号レベルが再設定された送信信号を前記無線リモコンから前記照明器具に送信し、前記判断を行うことを特徴とする。
【００１５】
この構成では、照明器具は無線リモコンからの送信信号を確実に受信することができる。
【００１６】
請求項２に記載の発明は、請求項１に記載の発明において、前記無線リモコンに周囲の明るさを検出する明るさセンサを備え、前記明るさセンサが明るさの変化を検出することにより、前記判断を行うことを特徴とする。この構成では、明るさの変化により自動で信号レベルを再設定することができるので、信号レベルの設定をより簡易的に行うことができる。
【００１７】
請求項３に記載の発明は、点灯及び消灯を行う照明負荷を有する照明器具と、前記照明器具とは別体であって前記照明負荷の点灯状態を微弱無線による送信信号で指示する無線リモコンとを備える照明装置であって、前記無線リモコンは、伝送速度、送信回数、コマンド及び誤り制御符号のうち少なくとも一つに基づいて前記送信信号の信号レベルを設定するリモコン側設定スイッチと、前記信号レベルが設定された送信信号を前記無線リモコンから前記照明器具に送信するリモコン制御部とを備え、前記照明器具は、伝送速度、送信回数、コマンド及び誤り制御符号のうち少なくとも一つに基づいて前記送信信号の信号レベルを設定する器具側設定スイッチと、前記送信された送信信号が前記照明器具に受信されたか否かの判断を行い、前記判断の結果、受信されたときには、前記設定された信号レベルを前記送信信号の信号レベルとして決定する器具制御部とを備え、前記無線リモコン及び前記照明器具は、前記判断の結果、受信されなかったときには、前記送信信号に対して、前記伝送速度をさらに遅くする過程、前記送信回数をさらに多くする過程、前記コマンドをさらに多くする過程及び前記誤り制御符号をさらに多くする過程のうち少なくとも一つを行い、前記送信信号の信号レベルを再設定することを特徴とする。
【００１８】
この構成では、照明器具は無線リモコンからの送信信号を確実に受信することができる。
【００１９】
請求項４に記載の発明は、請求項３に記載の発明において、前記無線リモコンは、周囲の明るさを検出する明るさセンサを備えることを特徴とする。この構成では、明るさの変化により自動で信号レベルを再設定することができるので、信号レベルの設定をより簡易的に行うことができる。
【発明の効果】
【００２０】
本発明によれば、照明器具は無線リモコンからの送信信号を確実に受信することができる。
【発明を実施するための最良の形態】
【００２１】
（実施形態１）
先ず、実施形態１の基本的な構成について図１〜３を用いて説明する。実施形態１の照明装置は、例えば、屋内、特に住宅の階段、廊下等の人が往来する場所に設置された照明器具を、無線リモコンからの微弱無線を用いた単方向通信により制御するものであり、図１に示すように、無線リモコン（送信器）１、照明器具（受信器）２を備えている。
【００２２】
微弱無線は、３２２ＭＨｚ以下の周波数帯で、３ｍ地点の電界強度が５００μＶ／ｍ以下の電波である。微弱無線による通信は、上記のように電界強度が電波法で小さく規制され、通信信頼性及び通信距離が特定小電力無線による通信より劣るものの、コストが非常に安く、認可も不要であり、他の制約もないので、上記通信性能の範囲で実現するものであれば、手軽な用途、低コストが要求される用途に適している。
【００２３】
無線リモコン１は、照明器具２とは別体であって、人感センサ１０、リモコン制御部１１、送信部（微弱無線送信部）１２、リモコン側設定スイッチ１３を含む構成であり、後述する照明負荷２２の点灯状態を微弱無線による送信信号で指示している。人感センサ１０は、検知範囲内で人を検知すると入力信号をリモコン制御部１１に出力する入力手段である。例えば、検知範囲内を人が横切ったことを検知する。リモコン制御部１１は、例えばマイコン等であり、人感センサ１０から入力信号を入力したときに、照明器具２へ送信する送信信号を制御するリモコン制御手段である。また、リモコン制御部１１は、送信信号の伝送速度、送信回数、コマンド及び誤り制御符号のうち少なくとも一つを可変する機能を有する。送信部１２は、リモコン制御部１１の制御により、後述する信号レベルが設定された送信信号を電気信号から微弱無線信号に変換して照明器具２に送信する送信手段である。
【００２４】
リモコン側設定スイッチ１３は、図２（ａ）に示すように、レベル設定スイッチ１３０、記憶スイッチ１３１、送信スイッチ１３２を含む構成であり、伝送速度、送信回数、コマンド及び誤り制御符号のうち少なくとも一つに基づいて送信信号の届きやすさを表す信号レベル（伝達容易レベル）を設定する。レベル設定スイッチ１３０は、複数のディップスイッチ１３０ａからなり、信号レベルを設定するときに、ユーザに操作される。ディップスイッチ１３０ａ・・・は、少なくとも伝送速度、送信回数、コマンド及び誤り制御符号のそれぞれに対応している。なお、上記ディップスイッチ１３０ａ・・・の他に、伝送速度、送信回数、コマンド及び誤り制御符号のうち２つ以上を同時に設定するためのディップスイッチを備えてもよい。記憶スイッチ１３１は、モードを設定モードに切り替えたり、信号レベルを記憶したりするときに、ユーザに操作される。送信スイッチ１３２は、信号レベルが設定された送信信号を電気信号から微弱無線信号に変換して送信するときに、ユーザに操作される。
【００２５】
照明器具２は、図１に示すように、受信部（微弱無線受信部）２０、器具制御部２１、照明負荷２２、器具側設定スイッチ２３を含む構成であり、無線リモコン１に対応している。受信部２０は、無線リモコン１からの送信信号を微弱無線信号として受信し、その微弱無線信号を電気信号に変換する。器具制御部２１は、上記送信信号が照明器具２に受信されたか否かの判断を行う。上記判断の結果、受信されたときには、受信された送信信号に含まれている信号レベルを送信信号の信号レベルとして決定するとともに、上記送信信号に基づいて照明負荷２２の点灯状態を制御する。照明負荷２２は、例えばランプ、点灯装置等であり、無線リモコン１からの送信信号に基づいて点灯及び消灯を行う。また、照明負荷２２は、上記判断の結果、受信されたときには、受信した送信信号に基づいて、例えば点灯、点滅等、ユーザがわかるような報知を行う。
【００２６】
器具側設定スイッチ２３は、図２（ｂ）に示すように、レベル設定スイッチ２３０、切替スイッチ２３１を含む構成であり、リモコン側設定スイッチ１３で設定した信号レベルに設定する。レベル設定スイッチ２３０は、複数のディップスイッチからなり、信号レベルを設定するときに、ユーザに操作される。ディップスイッチ２３０ａ・・・は、少なくとも伝送速度、送信回数、コマンド及び誤り制御符号のそれぞれに対応している。なお、上記ディップスイッチ２３０ａ・・・の他に、伝送速度、送信回数、コマンド及び誤り制御符号のうち２つ以上を同時に設定するためのディップスイッチを備えてもよい。切替スイッチ２３１は、モードを設定モードに切り替えるときに、ユーザに操作される。
【００２７】
送信信号は、図３に示すように、ヘッダ（リーダ）、コマンド、トレーラを含む構成である。ヘッダは、送信信号の開始を表している。トレーラは、送信信号の終了を表している。照明器具２（図１参照）が無線リモコン１（図１参照）から１回で受信した場合は、図３（ａ）に示すような標準信号である。無線リモコン１は、伝送速度を速くする過程、コマンドを少なくする過程、送信回数を１回にする過程、誤り制御符号を含まない過程を行っている。実施形態１では、このときの信号レベルをレベル１とする。レベル１では、無線リモコン１からの微弱無線信号が照明器具２に届きにくい。信号レベルをレベル１より通信しやすいレベル（レベル２以降）に設定するためには、レベル１と比較して、伝送速度を遅くする過程、コマンドを多くする過程、送信回数を多くする過程、及び誤り制御符号を多くする過程のうち少なくとも一つを行う。送信信号は、伝送速度を遅くする過程を行うと図３（ｂ）に示すような信号になり、コマンドを多くする過程を行うと図３（ｃ）に示すような信号になり、送信回数を多くする過程を行うと図３（ｄ）に示すような信号になり、誤り制御符号を付加する過程を行うと図３（ｅ）に示すような信号になる。また、上記の過程を全て行うと、図３（ｆ）に示すような信号になる。これにより、送信信号の信号レベルを通信しやすいレベルに設定するほど、送信信号の時間的な長さが長くなるものの、通信の確実性を向上させることができる。
【００２８】
上記より、図１に示す無線リモコン１と照明器具２との距離、特に送信部１２と受信部２０との距離が短く、人感センサ１０の検知後、早く点灯しなければならない場合には、早く通信することができる信号レベルを設定する。一方、人感センサ１０の検知後、照明負荷２２が点灯するまでに時間が若干経過しても許容されるような距離が長い場合には、送信信号を確実に受信する信号レベルを設定する。これにより、照明器具２が送信信号を受信することができないという現象を低減させることができる。
【００２９】
次に、実施形態１の照明装置の通信設定方法について図４を用いて説明する。先ず、無線リモコン１及び照明器具２（ともに図１参照）において、ユーザが手動でリモコン側設定スイッチ１３及び器具側設定スイッチ２３（ともに図１参照）を操作することにより、設定モードに切り替えられる（Ｓ１，Ｓ２）。設定モードにおいて、信号レベルをレベル１に設定する（Ｓ３，Ｓ４）。このとき、無線リモコン１は送信信号の手動による送信待ちで、照明器具２は受信待ちである（Ｓ５）。
【００３０】
続いて、ユーザが手動で操作することにより、信号レベルがレベル１に設定された送信信号（以下、「レベル１信号」という）を無線リモコン１（図１参照）から照明器具２（図１参照）に送信する（Ｓ６）。照明器具２は、レベル１信号が受信されたか否かの判断を行う（Ｓ７）。上記判断の結果、レベル１信号を受信した場合、照明器具２は、レベル１を記憶し送信信号の信号レベルに決定する（Ｓ８）。受信した送信信号に基づいて、照明負荷２２（図１参照）を点灯させ、設定モードを抜ける（Ｓ９）。一方、ユーザは照明負荷２２の点灯状態を明示的にわかるので、それを確認し（Ｓ１０）、ユーザが手動で操作することにより、無線リモコン１は信号レベルとしてレベル１を記憶する（Ｓ１１）。その後、無線リモコン１は設定モードを抜ける。上記より、通信設定を完了する。
【００３１】
これに対して、照明器具２（図１参照）がレベル１信号を受信しなかった場合、照明負荷２２（図１参照）が変化しないことから、ユーザは、照明器具２が上記送信信号を受信していないことがわかる。このとき、無線リモコン１（図１参照）及び照明器具２において、ユーザが手動でリモコン側設定スイッチ１３及び器具側設定スイッチ２３（ともに図１参照）を操作することにより、信号レベルをレベル１からレベル２に設定する（Ｓ１２，Ｓ１３）。その後、（Ｓ３）以降の動作を行い、信号レベルがレベル２に設定された送信信号（以下、「レベル２信号」という）を無線リモコン１から照明器具２に送信する。レベル２信号において、上記判断を行う。照明器具２が送信信号を受信するまで信号レベルの再設定を行う。通信設定を完了すれば、通常のモードに切り替えて運用を開始する。
【００３２】
以上、実施形態１によれば、人感センサ１０が人を検知してから照明負荷２２を制御するまでの時間に少々ばらつきは生じるが、照明器具２は無線リモコン１からの送信信号を、できるだけ短い時間で、かつ、確実に受信することができる。
【００３３】
（実施形態２）
実施形態２は、図５に示すように、無線リモコン１、照明器具２を備える点で実施形態１と同様であるが、実施形態１にはない以下に記載の特徴部分がある。実施形態２の無線リモコン１は、実施形態１の無線リモコン１（図１参照）と異なる点として、周囲の明るさを検出する明るさセンサ１４を備える。リモコン制御部１３は、明るさセンサ１４が明るさの変化を検出することにより、信号レベルが設定された送信信号が照明器具２において受信されたか否かの判断を行う。つまり、自動的に信号レベルを記憶したり再設定したりするために、図６に示すように、明るさセンサ１４（図５参照）の出力値を入力し、上記出力値を予め決められた基準値と比較し、基準値より大きいときは、照明器具２（図５参照）が送信信号を受信し、照明負荷２２（図５参照）が点灯したと判断する。これに対して、基準値より小さいときは、照明器具２が送信信号を受信せず、照明負荷２２が消灯したままであると判断する。また、実施形態２のリモコン側設定スイッチ１３は、図５に示すように、実施形態１のリモコン側設定スイッチ１３（図２（ａ）参照）と異なる点として、レベル設定スイッチを除いた構成である。
【００３４】
次に、実施形態２の照明装置の通信設定方法について図４を用いて説明する。先ず、実施形態１の（Ｓ１）〜（Ｓ７）を行う。照明器具２（図５参照）がレベル１信号を受信した場合、実施形態１の（Ｓ８）及び（Ｓ９）を行う。無線リモコン１（図５参照）は明るさセンサ１４（図５参照）により照明負荷２２（図５参照）の点灯状態を確認し（Ｓ１０）、信号レベルをレベル１で行うことを自動で記憶させる（Ｓ１１）。その後、無線リモコン１は設定モードを抜ける。上記より、通信設定を完了する。
【００３５】
これに対して、照明器具２（図５参照）がレベル１信号を受信しなかった場合、無線リモコン１（図５参照）は自動で信号レベルをレベル２に設定する（Ｓ１２）。その後、照明器具２は信号レベルを再設定し（Ｓ１３）、（Ｓ３）以降の動作を行い、信号レベルがレベル２に設定された送信信号（以下、「レベル２信号」という）を無線リモコン１から照明器具２に送信する。レベル２信号において、上記判断を行う。照明器具２が送信信号を受信するまで信号レベルの再設定を行う。通信設定を完了すれば、通常のモードに切り替えて運用を開始する。
【００３６】
以上、実施形態２によれば、無線リモコン１においてユーザが手動で信号レベルを再設定するのではなく、明るさの変化により自動で再設定することができるので、信号レベルの設定をより簡易的に行うことができる。
【００３７】
なお、実施形態２の変形例として、照明器具側の信号レベルの設定変更、及び設定変更後における無線リモコン側の送信信号の送信をユーザが手動で行う方法に代わって、無線リモコン及び照明器具がタイマを備え、タイマがカウントアップする毎に、無線リモコン及び照明器具はともに信号レベルを再設定し、無線リモコンは明るさセンサの検出結果に基づいて信号レベルを記憶し、照明器具は送信信号を受信したときに信号レベルを記憶するような方法であってもよい。
【００３８】
（実施形態３）
実施形態３は、無線リモコン１、照明器具２（ともに図５参照）を備える点で実施形態２と同様であるが、実施形態２にはない以下に記載の特徴部分がある。実施形態３では、信号レベルの設定を完了した後も、人の検知による入力信号により照明負荷２２（図５参照）が点灯したか否かを明るさセンサ１４（図５参照）で検出する。上記明るさセンサ１４の出力値を予め決められた基準値と比較し、基準値より大きいときは、照明器具２が送信信号を受信し、その送信信号に基づいて照明負荷２２が点灯したと判断する。これに対して、基準値より小さいときは、照明器具２が送信信号を受信せず、照明負荷２２が消灯したままであると判断し、無線リモコン１は照明器具２に送信信号を再送する。
【００３９】
以上、実施形態３によれば、無線リモコン１からの送信信号の再送により、送信信号を受信する確率を上げることができるので、照明器具２は、全く送信信号を受信しないという不具合を低減することができる。
【００４０】
なお、実施形態１〜３のいずれかの変形例として、ユーザが操作する操作部を入力手段として無線リモコンに備えてもよい。操作部は、例えば、押釦スイッチ、スライドスイッチ等を含み、入力信号をリモコン制御部に出力する。リモコン制御部は、操作部から入力信号を入力したときに、送信信号を生成する。このような構成にすると、ユーザの操作で照明制御を行うことができる。
【図面の簡単な説明】
【００４１】
【図１】本発明による実施形態１の照明装置のブロック図である。
【図２】同上の照明装置であって、（ａ）はリモコン側設定スイッチの正面図、（ｂ）は器具側設定スイッチの正面図である。
【図３】同上の送信信号を表す図である。
【図４】同上の信号レベル設定時の動作フローチャートである。
【図５】本発明による実施形態２の照明装置のブロック図である。
【図６】同上の明るさセンサによる自動点滅の判断基準を表す図である。
【図７】従来の照明装置の外観図である。
【図８】同上の距離に対する送信信号及びノイズを表す図である。
【図９】同上の時間に対する送信信号及びノイズを表す図である。
【符号の説明】
【００４２】
１  無線リモコン
１１  リモコン制御部
１３  リモコン側設定スイッチ
１４  明るさセンサ
２  照明器具
２１  器具制御部
２２  照明負荷
２３  器具側設定スイッチ
【図１】
2006093048.tif 000003
【図２】
2006093048.tif 000004
【図３】
2006093048.tif 000005
【図４】
2006093048.tif 000006
【図５】
2006093048.tif 000007
【図６】
2006093048.tif 000008
【図７】
2006093048.tif 000009
【図８】
2006093048.tif 000010
【図９】
2006093048.tif 000011